(57)【要約】  電子写真印刷プロセスに用いられる記録媒体の抵抗率を制御するための電荷制御添加剤がここに開示される。電荷制御添加剤は、記録媒体の基板（１２）に塗布された１つ以上の層（１８、２０）に含有される。電荷制御添加剤は、電解質、溶媒、有機キャリヤー、及び共有機キャリヤーの混合物である。有機キャリヤーは、溶媒との少なくとも何らかの物理的及び／又は化学的結合を形成し且つ維持するよう選択され、そのため、有機キャリヤーは、高温融解処理中、溶媒のフラクションを維持する。共有機キャリヤーは、有機キャリヤーより小さい分子量を有し、そしてまた溶媒との少なくとも何らかの物理的及び／又は化学的結合を形成する。
2007536597.tif 000002
【特許請求の範囲】
【請求項１】
電子写真印刷プロセス用の記録媒体であって、
第一及び第二面を有する基板と、
前記基板の第一及び第二面の少なくとも１つに塗布された画像受容層と、
少なくとも１つの前記画像受容層のそれぞれの少なくとも部分を形成する電荷制御組成物と
を含み、前記電荷制御組成物が電解質、溶媒、及び有機キャリヤーを含有する記録媒体。
【請求項２】
前記基板の第一及び第二面の各々に塗布されたベース層を含む請求項１に記載の記録媒体。
【請求項３】
前記基板の第一及び第二面の各々に塗布された画像受容層を含む請求項１に記載の記録媒体。
【請求項４】
前記電荷制御添加剤が、
０．５〜３．０％の電解質と、
１０．０〜３０．０％のキャリヤーと、
６０．０〜８５．０％の溶媒と
を含有する請求項１に記載の記録媒体。
【請求項５】
前記記録媒体の抵抗率に及ぼす大気の相対湿度と前記記録媒体の水分含量との影響を軽減できるように記録媒体を処理する方法であって、前記方法が、
第一面及び第二面を有する基板を提供するステップと、
前記基板の第一及び第二面の少なくとも１つに電荷制御添加剤含有のベース層を塗布するステップと、
前記基板の第一及び第二面の少なくとも１つに及びそれらに塗布された前記ベース層の上に画像受容層を塗布するステップとを含み、前記画像受容層も電荷制御添加剤を含み、前記ベース層及び前記画像受容層の前記電荷制御添加剤が溶媒、有機キャリヤー、及び電解質を含む記録媒体を処理する方法。
【請求項６】
前記電荷制御添加剤が、
０．５〜３．０％の電解質と、
１０．０〜３０．０％のキャリヤーと、
６０．０〜８５．０％の溶媒と
を含有する請求項５に記載の記録媒体を処理する方法。
【請求項７】
前記添加剤が、
０．５〜３．０％の塩化ナトリウムと、
１０．０〜３０．０％のポリエチレングリコールと、
６０．０〜８５．０％の脱イオン水と
を含有する記録媒体用の抵抗率制御添加剤。
【請求項８】
さらに、３．０〜１０．０％のグリセロールを含有する請求項７に記載の記録媒体用の抵抗率制御添加剤。
【請求項９】
電子写真印刷プロセス用の記録媒体であって、
第一及び第二面を有する基板と、
前記基板の第一及び第二面に塗布されたベース層と、
前記基板の第一及び第二面に対してそれらに塗布されたベース層の上に塗布された画像受容層と、
前記ベース層と画像受容層の各々の少なくとも部分を形成する電荷制御組成物と
を含み、前記電荷制御組成物が電解質、溶媒、及び有機キャリヤーを含有する記録媒体。
【請求項１０】
前記電荷制御組成物が、さらに、共有機キャリヤーを含む請求項９に記載の記録媒体。
【請求項１１】
前記溶媒が、ヒドロキシル基、カルボキシル基、及び電気的陰性原子の基からなる群から選択された少なくとも１つの官能性化学基を含む請求項９に記載の記録媒体。
【請求項１２】
前記溶媒が、酸素、窒素、フッ素、硫黄、塩素、水素、臭素及びヨウ素の少なくとも１つの原子からなる群から選択された少なくとも１つの化学官能基を含む請求項９に記載の記録媒体。
【請求項１３】
前記電解質が、イオン化可能な無機塩、有機電解質、及び低分子量の高分子電解質からなる群から選択される請求項９に記載の記録媒体。
【請求項１４】
前記電解質が、塩化ナトリウム、塩化カルシウム、塩化カリウム、塩化アルミニウム、クエン酸塩、乳酸塩、酢酸塩、テトラエチルアンモニウムブロミド、一価の無機塩、一価の有機塩、テトラ−アルキルアンモニウム塩、ポリビニルアクリレートの有機塩、及びポリビニルアクリレートの無機塩からなる群から選択される請求項９に記載の記録媒体。
【請求項１５】
前記電解質が溶媒の凝固点より高い温度で前記溶媒に溶解できる請求項９に記載の記録媒体。
【請求項１６】
前記有機キャリヤーが、酸素、窒素、フッ素、硫黄、塩素、臭素及びヨウ素の少なくとも１つの原子からなる群から選択された少なくとも１つの化学官能基を含む請求項９に記載の記録媒体。
【請求項１７】
前記有機キャリヤーが、ポリエチレングリコール、ポリプロピレングリコール、ポリオキシアルキレングリコール、及びエチルオキシル化ソルビタン脂肪酸エステルからなる群から選択される請求項９に記載の記録媒体。
【請求項１８】
前記共有機キャリヤーが、酸素、水素、窒素、フッ素、硫黄、塩素、臭素及びヨウ素の少なくとも１つの原子からなる群から選択された少なくとも１つの化学官能基を含む請求項９に記載の記録媒体。
【請求項１９】
前記電荷制御添加剤が、
１〜５０％の電解質と、
１〜５０％のキャリヤーと、
１〜５０％の溶媒と
を含有する請求項９に記載の記録媒体。
【請求項２０】
前記電荷制御添加剤が、
０．５〜３．０％の電解質と、
１０．０〜３０．０％のキャリヤーと、
６０．０〜８５．０％の溶媒と
を含有する請求項９に記載の記録媒体。
【発明の詳細な説明】
【技術分野】
【０００１】
本発明は、概して、記録媒体に関し、より詳細には、電子写真印刷に使用される被覆媒体の一部を形成する電荷制御添加物を含むコーティング調合物に関する。
【背景技術】
【０００２】
電子写真印刷プロセス用として予定された紙のような記録媒体の電気抵抗率は、それらのプロセスの成功にとって重要である。乾燥トナーは、静電電荷によって記録媒体に塗布される。従って、特定の大きさを持つ静電電荷は有益であり且つ不可欠でさえある。しかしながら、記録媒体の電気抵抗率が高くなり過ぎる場合、過剰静電電荷が記録媒体に蓄積することがあり、それによって、記録媒体そのもののミス送り、二重送りの増加のようなよく知られた諸問題を引き起こすことになる。加えて、静電電荷の過剰は、人為産物及び「チキントラック」又は「シャークスキン」に似た欠陥のあるプリント像を生ずる。あるいは、記録媒体の抵抗率が異常に低い場合、記録媒体に蓄積する静電電荷が少な過ぎてトナー転送効率が低くなり、それが、次には、画像における低目の且つ時には変化しやすいプリント密度に変わっていく。
【発明の開示】
【発明が解決しようとする課題】
【０００３】
従って、電子写真印刷プロセスに使用される予定の紙のような記録媒体に向く安価な抵抗率制御積層に対する必要性が認められている。より詳細には、記録媒体の抵抗率を予め定められた適当な範囲内に維持することができ且つ記録媒体の水分含量の変化に対して及び記録媒体が格納される環境の相対湿度に対して比較的無感応である電気抵抗率制御積層の必要性が存在するのである。また、比較的耐光性であり且つ抵抗率制御積層が塗布される記録媒体を黄変させない電気抵抗率制御積層を実現することも望ましいであろう。
【課題を解決するための手段】
【０００４】
記録媒体に塗布されたコーティング中に電荷制御添加物を含んでいる被覆記録媒体は、上述の必要性に対処するものである。電子写真印刷プロセスに適しているこの記録媒体は、本質的に、ベース層がそこに塗布されている二面の基板を含む。しかし、我々の目的では、ベース層が本発明に従って調合された電荷制御添加物又は組成物を含有することに注目することが重要である。ベース層の上に画像受容層が塗布される。この画像受容層も本発明の電荷制御組成物を含有する。一般に、電荷制御組成物は、電解質、溶媒、及び有機キャリヤーを含む。
【０００５】
本発明は、また、記録媒体の抵抗率に及ぼす大気の相対湿度と記録媒体の水分含量の影響を軽減する記録媒体を処理する方法も包含する。この方法では、最初に第一及び第二面を有する基板が与えられる。ベース層のコーティングが、その基板の第一及び第二面の少なくとも１つに塗布される。このベース層は電荷制御添加物を含む。次に、画像受容層のコーティングが、基板の第一及び第二面の少なくとも１つに塗布される。典型的に、画像受容層はベース層の上に塗布されるが、適当な状況下では、画像受容層を基板そのものに直接塗布し得ることが想定される。画像受容層も電荷制御組成物を含む。
【発明を実施するための最良の形態】
【０００６】
本発明の以下の詳細説明において、その一部を形成し、且つ、図解によって、本発明を実施し得る特定の実施形態が示されている添付図面について触れる。当該図面では、類似番号は、実質的に、幾つかの図を通して、同様の構成成分を表している。これらの実施形態は、当業者が本発明を実践できるよう十分詳細に記述される。本発明の範囲から逸脱することなくその他の実施形態も利用することができ且つ構造的、論理的、及び電気的変更も施し得るものである。それ故、以下の詳細説明は限定する意味で解されるべきではなく、また、本発明の範囲は添付クレーム及びその等価物によってのみ定められるものである。
【０００７】
電子写真印刷プロセスにおいては多くの種類の記録媒体が使用される。今までのところ最も一般的なものは紙であるが、プラスチックフィルムのようなその他の種類の記録媒体も使用される。本書において用いられるとき、用語「記録媒体」は、用語「紙」と置換して使用し得る。この置換は便宜上の１つであること、及び用語「記録媒体」は、限定するものではないが、レーザ、インクジェット、及びディジタル印刷プロセスを含む印刷プロセス用として適している任意の媒体を含むものと解釈されるべきであることに注意されたい。
【０００８】
図１は、記録媒体の典型的な積層シート１０を図解するものである。紙又はプラスチックフィルムであり得る基板１２のような積層シート１０として形成されている。基板１２は、第一面１４と第二面１６を有する。基板１２の第一及び第二面１４、１６にベース積層又は層１８が直接塗布される。このベース積層又は層１８の上にトップ積層又は層２０が直接塗布される。ベース及びトップ層１８，２０は、基板１２の平面を平滑化する働きがあり且つシート１０の最終的な光学的、化学的、及び電気的特性を改善する働きもある。
【０００９】
幾つかの用途では、層１８，２０の１つ以上をシート１０から省くことが望ましいことがある。例えば、シート１０の一面だけがその上にプリントされることになる場合、トップ層又は層２０を基板１２の一面から省くことができる。さらに、ある場合には、ベース及びトップ層１８，２０の両方を基板１２の面１４、１６の１つから省くことが望ましいこともある。
【００１０】
ベース層１８は、既知の方法でシート１０へ塗布されるベース組成物を含む。ベース組成物（及びそれから形成された層又はコーティング）は、無機顔料、バインダー、及び電荷制御添加物を含むことができる。トップ層２０は画像受容組成物を含む。画像受容組成物（及びそれから形成される層）は、無機顔料、高分子中空粒子顔料、バインダー及び電荷制御添加物を含むことができる。
【００１１】
適当な無機顔料は、粉末又はスラリーの形で提供され得る。適当な無機顔料の例としては、限定するものではないが、二酸化チタン、水和アルミナ、炭酸カルシウム、硫酸バリウム、シリカ、（高輝度カオリン粘土のような）粘土、及び酸化亜鉛がある。実施例としてだけなら、所望の諸性質を有する１つの適当な無機顔料は炭酸カルシウムである。当該炭酸カルシウムは、粉砕された炭酸カルシウム（ＧＣＣ）であり得るか又は化学的沈降炭酸カルシウム（ＰＣＣ）であり得る。前述の望ましい諸性質は、高輝度、光沢、乳白度、十分なレオロジー、及び十分な被覆能力を含む。加えて、炭酸カルシウムは、入手するのに比較的経済的である。ベース層１８及びトップ層２０の両方において、これらの微粒子を含んでいるコーティング溶液のコストが、典型的に、紙パルプより高価でないので、コストを上げることなく最大レベルまで無機顔料を充填することができる。この組合せは、同じような重量を有する普通紙に比較して高性能、低コストの積層紙を提供する。
【００１２】
バインダーは、ベース層１８中の無機顔料をシート１０に付着させ且つまたトップ層中の無機顔料及びプラスチック中空粒子も付着させる。適当なバインダーは、ポリビニルアルコール、デンプン誘導体、ゼラチン、セルロース誘導体、アクリルアミド重合体のような水溶性高分子、又はアクリル重合体又は共重合体、酢酸ビニルラテックス、ポリエステル、塩化ビニリデンラテックス、及びスチレン−ブタジエン又はアクリロニトリル−ブタジエン共重合体ラテックスのような水分散性高分子を含む。
【００１３】
プラスチック中空顔料は、水分散性の、水が充填された高分子中空球状粒子である。乾燥シートに塗布された層のように、プラスチック中空顔料も水を失って、中空の空気充填コアを残す。１実施形態において、プラスチック顔料は、約１００℃のガラス転移温度（ＴＧ）でのスチレン乳化重合から作られる。プラスチック中空顔料は、周囲条件においては膜形成せずそしてコーティング中は離散粒子として留まる。プラスチック中空顔料のような中空微粒子は、その材料容積全体の２０％乃至７０％の間である空隙容積を有し得る。１実施形態において、微粒子のプラスチック中空顔料は、約０．３μｍ〜約２μｍの粒子サイズ及び／又は約５０℃〜約１２０℃のガラス転移温度（ＴＧ）を有する。本発明の実施形態に従って使用し得るその他の適当なプラスチック中空顔料の例には、Ｒｏｐａｑｕｅ  ＢＣ−６４３、Ｒｏｐａｑｕｅ  ＨＰ−５４３、又はＲｏｐａｑｕｅ  ＯＰ−８４、全てＲｏｈｍ  ａｎｄ  Ｈａａｓ  Ｃｏｍｐａｎｙ，Ｐｈｉｌａｄｅｌｐｈｉａ，ＰＡ，ＵＳＡで製造、及びＤｏｗ  Ｃｈｅｍｉｃａｌ  Ｃｏｍｐａｎｙ，Ｍｉｄｌａｎｄ，ＭＩ，ＵＳＡから入手できる、ＨＳ−３０００ＮＡが含まれる。
【００１４】
上述の主要成分及び次節で詳述される電荷制御添加物とは別に、少量のコーティング添加物も層組成物に存在し得る。そのような添加物は、幾つかの例を挙げれば、紙の色を制御する染料、光輝度調節剤、潤滑剤、界面活性剤、レオロジー修正剤、（防水用のような）架橋剤、変形剤、及び／又は分散剤を含む。
【００１５】
シート１０の電気特性を変更するために、放電制御添加物がベースおよびトップ層１８，２０の少なくとも１つに混ぜられる。好ましくは、電荷制御添加物はベース及びトップ層１８，２０の両方と結合されるが、各層の１つだけと結合されてもよい。放電制御添加物は、シート１０の抵抗率を、約１ｘ１０6ｏｈｍｓ／ｓｑｕａｒｅと１ｘ１０15ｏｈｍｓ／ｓｑｕａｒｅの間の範囲、より好ましくは、約１ｘ１０9ｏｈｍｓ／ｓｑｕａｒｅから１ｘ１０13ｏｈｍｓ／ｓｑｕａｒｅの範囲のどこかに設定する。
【００１６】
放電制御添加物は、電解質と液体キャリヤーの混合物である。当該電解質は、基板１２の固有抵抗率を下げられるように液体キャリヤーの存在において自由電子を層１８，２０に供与する。適当な電解質は、限定するものではないが、イオン化可能な無機塩、有機電解質、及び低分子量の高分子電解質を含む。幾つかの適当な電解質の具体例は、塩化ナトリウム、塩化カルシウム、塩化カリウム、及び塩化アルミニウムと、クエン酸塩、乳酸塩、及び酢酸塩のような一価の無機及び有機塩と、テトラエチルアンモニウムブロミドのようなテトラ−アルキルアンモニウム塩と、そしてポリビニルアクリレートの低高分子量の無機及び有機塩とを含む。
【００１７】
液体キャリヤーは、溶媒、有機キャリヤー、及び任意の共有機キャリヤーを含む。当該溶媒は、電解質がそこで十分溶解するように選択される。当該溶媒は、ヒドロキシル基、カルボキシル基、又は酸素、窒素、フッ素、硫黄、塩素、臭素及びヨウ素の少なくとも１つの原子を有する基のような１つ以上の反応性の官能性化学基（群）を含有しなければならない。当該溶媒は、通常、水素原子を含む。これらの官能基及び／又は電気的陰性原子は、有機キャリヤーと化学的及び／又は物理的結合を形成することができ、そのため、有機キャリヤーの分子は、電子写真印刷に通常用いられる画像融解処理に存在するそれらのような高温においてさえ溶媒の分子と結合されるのである。適当である溶媒の１つのタイプは、水性溶媒、好ましくは、蒸留水又は脱イオン水である。電解質がそこで溶解し且つ有機キャリヤー及び共有機キャリヤーと和合性である、その他の種類の溶媒も使用することができる。
【００１８】
有機キャリヤーは、好ましくは、液体であるか、又は適当な溶媒と混合時は、液体状態を呈するであろう。有機キャリヤーは、全ての濃度及び比率で溶媒と混和性でなければならず且つ好ましくは、ベース及びトップ層１８，２０がシート１０の基板１２に対して調合され且つ塗布される温度の範囲にわたって、溶媒に完全に可溶性である。前述の温度範囲にわたっての及び層の塗布、ウェブの乾燥、及び画像融解のような処理段階に存在する高温での有機キャリヤーの蒸発挙動を、好ましくは、最小限にする。従って、約２００℃を上回る引火点及び／又は沸点を有する有機溶媒を指定するのが好ましい。
【００１９】
有機溶媒のその他の望ましい特性は、ヒドロキシル基、カルボキシル基及び／又は酸素、窒素、フッ素、硫黄、塩素、臭素、ヨウ素、及び／又は水素の少なくとも１つの原子からなる基のような１つ以上の反応性の官能性化学基（群）が主分子構造に存在することである。反応性の官能性化学基（群）及び／又は原子は、分子鎖の背骨に存在し得るか又は高分子の場合におけるような側鎖としてそこに移植され得る。これらの官能基及び／又は電気的陰性原子は、溶媒分子と化学的及び／又は物理的結合を形成することができ、そのため、有機キャリヤーの分子は、電子写真印刷によくある画像融解処理に存在するそれらのような高温においてさえ溶媒分子と結合された状態で留まるであろう。
【００２０】
適当な有機キャリヤーは、限定するものではないが、ポリエチレングリコール、ポリプロピレングリコール、ポリオキシアルキレングリコール、及びエチルオキシル化（ｅｔｈｙｌｏｘｙｌａｔｅｄ）ソルビタン脂肪酸エステルを含む。有機キャリヤーの分子移動度は、放電制御添加物の性能を決定する際に重要な役割を演ずる。過度に動く分子、即ち、極めて低い粘性を有する分子は、一般に、高温で揮発性である。これらのキャリヤーからの溶媒の喪失は、伝導性イオンを点在する場所に取り残すことがあり、放電特性が一様でなくなる。他方、大きいキャリヤー分子は、極めて高粘性になるバルク構造を有し、これがまた伝導性イオンの移動度にマイナスに影響することがある。キャリヤー分子の移動度はキャリヤー分子の分子量に関連するということは当分野でよく知られている。例えば、ポリエチレングリコールが本発明を調合する際の有機キャリヤーとして使用される時、その分子量は、好ましくは、約２００〜２０００の間に、より好ましくは、４００〜６００の間になるように指定される。これらの分子量の範囲は、他の適当な有機キャリヤーを選択する際のコンパレーターとして使用し得る望ましい移動度となり、即ち、他の適当な有機キャリヤーは、上で同定された範囲内の分子量を有するポリエチレングリコールと同様の分子移動度を有することになる。
【００２１】
任意の共有機（ｃｏ−ｏｒｇａｎｉｃ）  キャリヤーを電荷制御添加調合物に付加して有機キャリヤーと結合する溶媒の力を高めることができる。共有機キャリヤーは、好ましくは、液体キャリヤーの溶媒及び有機キャリヤーの両方と混和性である有機化合物である。共有機キャリヤーは、一般に、有機キャリヤーのそれより小さい分子量を有し、しかも、酸素、窒素、フッ素、硫黄、塩素、臭素及びヨウ素の少なくとも１つの原子を有する１つ以上の官能基（群）を有する。共有機キャリヤーは、また、通常、その分子構造に水素原子を含む。適当な共有機キャリヤーは、低めの重合度をもつ小分子量の有機化合物又は有機オリゴマーであり得る。共有機キャリヤーは、また、溶媒及び有機キャリヤーと、水素結合のような、少なくとも幾つかの多重の物理的及び／又は化学的結合を形成するであろう。例えば、グリセロールのような単一又は多重ヒドロキシル基を有する物質は、共有機キャリヤーとして使用され得る。共有機キャリヤーが有機キャリヤーと共に含有される場合、有機キャリヤーの共有機キャリヤーに対する比は、一般に、約１５：１〜５：１であり、より好ましくは、約１０：１である。
【００２２】
放電制御添加剤の目的は、シート１０の抵抗率を大気の相対湿度及びシート１０の水分含量にさらに依存しなくすることである。この依存しないということは、シート１０を両面カラー電子写真印刷における記録媒体として使用時に高像質を維持するのに重要である。両面電子写真印刷においては、記録媒体のシート１０の各面は、シート１０のそれぞれの面に塗布された着色剤を定着させる画像融解プロセスにかけられる。画像融解中に用いられる高温は、シート１０の水分含量を劇的に減少させ且つそれによってその表面の電気抵抗率を変更させる。シート１０の各面が画像融解プロセスにかけられるため、シート１０の層１８，２０に水分感応性電荷制御添加剤が用いられる場合、融解されるべきシート１０の第二面の表面電気抵抗率は、融解された第一面より著しく高くなるであろう。記録媒体のシート１０の第二面の表面及び容積抵抗率が高いほど、「チキントラック」又は「シャークスキン」と通常呼ばれるプリント欠陥を生ずるであろう。
【００２３】
本発明を一つの動作メカニズムのどれかに限定しなくても、有機及び共有機キャリヤーはそれらの分子構造内に多量の溶媒を保持し、そのことによって、上述の相対湿度及び水分含量に無関係に、電荷制御添加物の電解質が記録媒体の抵抗率に関して活性状態で留まるものと思われる。相対湿度と水分含量が、依然として、記録媒体の抵抗率に影響することがあるとはいえ、そのような影響は、有機及び共有機キャリヤー内に保持された比較的不変のイオン活性によって緩和される。従って、記録媒体が両面カラー電子写真印刷プロセス及びその画像融解処理にかけられる場合でも、本発明の電荷制御添加剤を用いることによって、記録媒体の抵抗率を予定の抵抗率の範囲内に維持するのが比較的容易になる。
【００２４】
各層に存在し得る各成分の量に関しては、１００重量部の無機顔料が一定量として使用され得る。従って、ベース層の組成物は、１００重量部の無機顔料と、１〜１５重量部のバインダーと、そして５〜２０重量部の電荷制御添加物とを含み得る。同様に、画像受容組成物は、１００部の無機顔料と、３〜１０部の中空粒子と、そして１〜５部の電荷制御添加物とを含み得る。これらの範囲はガイドラインとして与えられるもので、所望の効果を達成するために変更され得る。さらに、様々なコーティングの重量と厚みが各コーティングに適用され得る。例えば、各ベース層は、５〜３０ｇ／ｍ2の、及び別の実施形態においては１０〜１５ｇ／ｍ2の、コーティング重量で塗布され得る。さらに、各受容層は、５〜３０ｇ／ｍ2の、及び別の実施形態においては１０〜１５ｇ／ｍ2の、コーティング重量で塗布され得る。さらに、より詳細な実施形態において、各ベース層及びトップ層は、厚さ約１０μｍ〜１５μｍで塗布され得る。
【００２５】
上述のように、ベース層（群）１８及びトップ層（群）２０は、シート１０の単一面に塗布され得るが、好ましくは、シート１０の両面に塗布される。ベース層及びトップ層は両方とも、オン−マシン又はオフ−マシンコーターを使って塗布され得る。適当なコーティング技術の例は、限定するものではないが、スロッティングダイコーター、ローラーコーター、噴水カーテンコーター、ブレードコーター、ロッドコーター、エアナイフコーター、グラビア利用、エアブラシ利用及び当業者に既知のその他の技術及び器具を含む。
【００２６】
ベース層及びトップ層は、各ベース及びトップ層について約５〜３０ｇ／ｍ2のコーティング重量で単独に又は同時に塗布され得る。好ましい実施形態において、コーティング重量は、ベース及びトップ層の各々について約１０〜１５ｇ／ｍ2である。ベース及びトップ層を構成する各々の組成物の固体含量は、低せん断Ｂｒｏｏｋｆｉｅｌｄ粘度計を使って１００ｒｐｍの速度で測定時に約２００ｃｐｓ〜２５００ｃｐｓの粘度で、約５０ｗｔ％〜７５ｗｔ％の範囲に入り得る。約４５００ｒｐｍというより高いせん断速度で且つ高せん断Ｈｅｒｃｕｌｅｓ粘度計を使って測定時に、前述の組成物の粘度は、約３０ｃｐｓ〜７０ｃｐｓである。塗布されると、層は、対流、伝導、赤外線放射、又はその他の既知の方法で乾燥され得る。ベース組成物及び画像受容組成物を使って記録媒体を塗布した後、所望の光沢又は表面平滑度を達成するべく艶出し処理が用いられ得る。艶出し装置は、分離した超艶出し機、オンラインソフトニップ艶出しユニット、オフラインソフトニップ艶出し機、又はその類であり得る。
【実施例】
【００２７】
実施例１〜７は、本発明による放電制御添加物の種々の調合物である。
（実施例１）
０．５〜３．０％塩化ナトリウム
１０．０〜３０．０％ポリエチレングリコール
３．０〜１０．０％グリセロール、及び
６０．０〜８５．０％脱イオン水
（実施例２）
０．５〜３．０％塩化ナトリウム
１０．０〜３０．０％ポリエチレングリコール
６０．０〜８５．０％脱イオン水
（実施例３）
０．５〜３．０％アルミニウムクロロヒドレート
１０．０〜３０．０％ポリエチレングリコール
３．０〜１０．０％グリセロール、及び
６０．０〜８５．０％脱イオン水
（実施例４）
０．５〜３．０％塩化カルシウム
１０．０〜３０．０％ポリエチレングリコール
３．０〜１０．０％グリセロール、及び
６０．０〜８５．０％脱イオン水
（実施例５）
０．５〜３．０％塩化マグネシウム
１０．０〜３０．０％ポリエチレングリコール
３．０〜１０．０％グリセロール、及び
６０．０〜８５．０％脱イオン水
（実施例６）
０．５〜３．０％アルミニウムクロロヒドレート
１０．０〜３０．０％ポリオキシアルキレングリコール
３．０〜１０．０％グリセロール、及び
６０．０〜８５．０％脱イオン水
（実施例７）
０．５〜３．０％塩化ナトリウム
１０．０〜３０．０％  エチルオキシル化ソルビタン脂肪酸エステル
３．０〜１０．０％グリセロール、及び
６０．０〜８５．０％脱イオン水
【００２８】
電荷制御添加物の市販実施形態は工業的方法を使って製造されるが、実施例１〜７は、次のように実験室のテスト条件下で製造された：電解質は、ガラスビーカー中で脱イオン水のような溶媒と混合された。次に、この混合物は、その混合物中に存在する固体粒子が全て十分に溶解され終わるまで室温で撹拌された。次に、有機キャリヤーと任意に共有機キャリヤーがその混合物に添加されそしてその後で室温でさらに２０〜３０分間撹拌が継続された。
【００２９】
実施例１〜７において作製された放電制御添加剤は、紙の基板１２を有する記録媒体のシート１０の表面及び容積の両抵抗率を調節し且つ安定化させる強力な能力を示した。１５℃程度の低さの温度と相対湿度１０％を有する厳しい印刷環境においてさえ、本発明の電荷制御添加剤を含んでいるベース及びトップ層の調合物は、静電気の蓄積及び放電に関連した画像の欠陥を無視し得る量まで軽減した。
【００３０】
（実施例８）
記録用媒体シート１０の基板１２への塗布が予定されたベース層１８の例示的実施形態は、次の成分を含有した：
１００部の粉砕された炭酸カルシウムのスラリー
４〜１０部のポリスチレン−ブタジエン共重合体ラテックス
５〜１０部の実施例１〜７で調合された電荷制御添加剤
０．２〜０．６部のレオロジー調節剤、及び
０．００１部の着色剤
【００３１】
（実施例９）
画像を受容するための且つ基板１２への、好ましくは、ベース層１８の上への、塗布が予定されたトップ層２０の例示的実施形態は、次の成分を含有した：
１００部の化学沈降炭酸カルシウムのスラリー
４〜１０部のポリスチレン−ブタジエン共重合体ラテックス
３〜５部の実施例１〜７で調合されたような電荷制御添加剤
３〜５部のポリスチレン中空粒子ラテックス
０．２〜０．６部のレオロジー調節剤
０．００１部の着色剤、及び
０．５〜１．０部の光沢剤
【００３２】
特定の実施形態が、本書において図解され且つ記述されたが、同一目的を達成するべく適応される構成はどれも提示された特定の実施形態と置換され得るということは当業者に理解されるであろう。本発明の多くの適応が当業者に明らかであろう。従って、この応用は、本発明の任意の適応又は変形を網羅するものとする。明白に意図されることは、この発明は添付クレーム並びにその等価物によってのみ限定されるということである。
【図面の簡単な説明】
【００３３】
【図１】本発明の実施形態による積層化記録媒体の略断面図である。
【符号の説明】
【００３４】
１０  記録媒体の積層化シート
１２  基板
１４  第一面
１６  第二面
１８  ベース層
２０  トップ層
【図１】
2007536597.tif 000003
【国際調査報告】
2007536597.tif 000004
2007536597.tif 000005
2007536597.tif 000006